(57)【要約】    【課題】  高速なアナログスイッチを用いることなく、ＭＢ−ＯＦＤＭの受信回路を構成することができる無線受信装置を提供する。    【解決手段】  ＢＢ部２の３つのベースバンド復調器ＤＥＭＯ1〜３は、周波数ホッピングパターンに応じたローカル周波数ｆ１，ｆ２，ｆ３にそれぞれ対応付けて設けられ、対応するローカル周波数を用いてＲＦ部１で受信された受信信号を復調する。各ベースバンド復調器ＤＥＭＯ1〜３のＩ出力は、それぞれ、ＡＤ変換器ＡＤＩ１〜３を介して、受信信号の周波数ホッピングのタイミングに合わせて、セレクタＳＥＬ１により切り替えて出力される。各ベースバンド復調器ＤＥＭＯ1〜３のＱ出力は、それぞれ、ＡＤ変換器ＡＤＱ１〜３を介して、セレクタＳＥＬ１の切り替えタイミングに合わせて、セレクタＳＥＬ２により、切り替えて出力される。【選択図】      図１
2006020072.tif 000002
【特許請求の範囲】
【請求項１】
マルチバンド直交周波数分割多重方式の無線受信装置であって、
受信信号の周波数ホッピングパターンに応じた複数のローカル周波数を発振するローカル発振手段と、
前記複数のローカル周波数にそれぞれ対応付けて設けられ、対応付けられているローカル周波数を用いて受信信号の復調を行う複数のベースバンド復調手段と、
受信信号の周波数ホッピングのタイミングに応じて、前記ベースバンド復調手段のそれぞれのＩ出力を切り替えて出力するＩ出力切り替え手段と、
前記Ｉ出力替え手段の切り替えタイミングに同期して、前記ベースバンド復調手段のそれぞれのＱ出力を切り替えて出力するＱ出力切り替え手段と、
前記Ｉ出力切り替え手段の出力と前記Ｑ出力切り替え手段の出力とのそれぞれに基づいてデータの復調を行うデータ復調手段と
を備えることを特徴とする無線受信装置。
【請求項２】
マルチバンド直交周波数分割多重方式の無線受信装置であって、
受信信号の周波数ホッピングパターンに応じた複数のローカル周波数を発振するローカル発振手段と、
与えられたローカル周波数を用いて受信信号の復調を行う２つのベースバンド復調手段と、
前記ベースバンド復調手段のそれぞれが交互に異なるホッピング周波数の受信信号の復調を行うように、前記複数のローカル周波数の中から前記ベースバンド復調手段のそれぞれに与えるローカル周波数を選択する周波数選択手段と、
受信信号の周波数ホッピングのタイミングに応じて、前記ベースバンド復調手段のそれぞれのＩ出力を切り替えて出力するＩ出力切り替え手段と、
前記Ｉ出力切り替え手段の切り替えタイミングに同期して、前記ベースバンド復調手段のそれぞれのＱ出力を切り替えて出力するＱ出力切り替え手段と、
前記Ｉ出力切り替え手段の出力と前記Ｑ出力切り替え手段の出力とのそれぞれに基づいてデータの復調を行うデータ復調手段と
を備えることを特徴とする無線受信装置。
【請求項３】
前記周波数選択手段は、前記ベースバンド復調手段の一方に与えるローカル周波数として現在のホッピング周波数の受信信号に対応するローカル周波数を選択するとき、前記ベースバンド復調手段の他方に与えるローカル周波数として次のホッピング周波数の受信信号に対応するローカル周波数を選択し、前記ベースバンド復調手段の他方により次のホッピング周波数の受信信号の復調が開始されると、前記ベースバンド復調手段の一方に与えるローカル周波数としてさらに次のホッピング周波数の受信信号に対応するローカル周波数を選択することを特徴とする請求項２記載の無線受信装置。
【請求項４】
前記ベースバンド復調手段のそれぞれのＩ出力とそれぞれ接続される複数の第１のアナログ／デジタル変換手段と、
前記ベースバンド復調手段のそれぞれのＱ出力とそれぞれ接続される複数の第２のアナログ／デジタル変換手段とを備え、
前記Ｉ出力切り替え手は、前記第１のアナログ／デジタル変換手段のそれぞれの出力を切り替えて出力し、前記Ｑ出力切り替え手段は、前記第２のアナログ／デジタル変換手段のそれぞれの出力を切り替えて出力することを特徴とする請求項１または２記載の無線受信装置。
【請求項５】
前記Ｉ出力切り替え手段の出力を、少なくともゼロパッデドプリフィックス区間とガードインタバル区間とを加算した時間分、蓄積するＩ出力蓄積手段と、
前記Ｑ出力切り替え手段の出力を、少なくともゼロパッデドプリフィックス区間とガードインタバル区間とを加算した時間分、蓄積するＱ出力蓄積手段と、
前記Ｉ出力切り替え手段の出力のうち、前記少なくともゼロパッデドプリフィックス区間とガードインタバル区間とに対応する出力を、前記Ｉ出力蓄積手段に蓄積された出力と加算して前記データ復調手段に出力するＩ出力加算手段と、
前記Ｑ出力切り替え手段の出力のうち、前記少なくともゼロパッデドプリフィックス区間とガードインタバル区間とに対応する出力を、前記Ｑ出力蓄積手段に蓄積された出力と加算して前記データ復調手段に出力するＱ出力加算手段と
を備えることを特徴とする請求項４記載の無線受信装置。
【請求項６】
前記ベースバンド復調手段のそれぞれのＩ出力とそれぞれ接続される複数の第１のアナログ／デジタル変換手段と、
前記ベースバンド復調手段のそれぞれのＱ出力とそれぞれ接続される複数の第２のアナログ／デジタル変換手段と、
前記第１のアナログ／デジタル変換手段のそれぞれの出力のうち、前記少なくともデータ区間、ゼロパッデドプリフィックス区間およびガードインタバル区間に対応する出力を蓄積する複数のＩ出力蓄積手段と、
前記第２のアナログ／デジタル変換手段のそれぞれの出力のうち、前記少なくともデータ区間、ゼロパッデドプリフィックス区間およびガードインタバル区間に対応する出力を、蓄積する複数のＱ出力蓄積手段とを備え、
前記Ｉ出力切り替え手は、前記Ｉ出力蓄積手段のそれぞれの出力を切り替えて出力し、前記Ｑ出力切り替え手段は、前記Ｑ出力蓄積手段のそれぞれの出力を切り替えて出力することを特徴とする請求項１または２記載の無線受信装置。
【発明の詳細な説明】
【技術分野】
【０００１】
本発明は、マルチバンド直交周波数分割多重方式の無線受信装置に関する。
【背景技術】
【０００２】
近年、近距離・大容量無線通信として、ウルトラワイドバンド（以下、ＵＷＢという）通信が注目されている。特に、マルチバンド直交周波数分割多重（以下、ＭＢ−ＯＦＤＭという）方式のＵＷＢシステムの提案が、最も支持されている。この方式は、IEEE802.15委員会のTG3ａにより規格化が検討されているものであり、その詳細は、IEEE P802.15-03/268r1やIEEE P802.15-03/267r6に記載されている。
【０００３】
上記提案されたものにおいては、直交周波数分割多重（ＯＦＤＭ）信号の１シンボル毎に周波数ホッピングが行われ、ＩＦＦＴ／ＦＦＴ時間が約２４２.４ｎｓ、ゼロ（パッデド）プリフィックス時間が約６０.６ｎｓ、ホッピング周波数の切り替えの許容時間（ガードインターバル）が約９.５ｎｓとされている。
【０００４】
上記の提案された方式を用いた送信機においては、ゼロ（パッデド）プリフィックス時間の約６０.６ｎｓの期間中、信号が送出されていないため、この時間を周波数の切り替え時間に用いるようにしてもよいが、受信機側においては、ゼロ（パッデド）プリフィックス時間がマルチパス遅延波を取り込むための時間に割かれるので、この時間は、ホッピング周波数の切り替え時間に用いることはできない。
【０００５】
また、マルチパス遅延波が生じる場合の補償の方法については、IEEE P802.15-03/267r6のSlide15に説明されている。遅延波の補償方法の概念を図７に示す。
【０００６】
図７に示すように、ＦＦＴ区間より遅くなった遅延波は、ＦＦＴ区間の先頭部に加算される。これにより、遅延波の補償を行うことができる。上記の提案されたＭＢ−ＯＦＤＭ方式のシステムにおいては、ゼロ（パッデド）プリフィックス時間の約６０.６ｎｓが、遅延波の補償可能範囲とされているため、この時間を周波数の切り替え時間に用いることができず、ガードインタバルの約９.５ｎｓの期間中に周波数の切り替えを行う必要がある。しかし、このような短い時間の期間中に、ローカル周波数を再設定することは不可能であるため、上記提案においては、周波数ホッピングに使用される全ての周波数がローカル周波数として持たれ、それらのローカル周波数をスイッチで選択することによって周波数ホッピングが可能になる。
【非特許文献１】IEEE P802.15-03/268r1
【非特許文献２】IEEE P802.15-03/267r6
【発明の開示】
【発明が解決しようとする課題】
【０００７】
IEEE P802.15-03/267r6，Slide21において、ＭＢ−ＯＦＤＭ方式の提案者は、ローカル周波数の切り替え時間が約２ｎｓで完了するという実験結果を示しているが、スイッチの浮遊容量や伝送線路の影響により、アナログスイッチでローカル周波数の切り替えを９.５ｎｓの時間内で行うことは、一般的には困難である。
【０００８】
本発明の目的は、高速なアナログスイッチを用いることなく、ＭＢ−ＯＦＤＭの受信回路を構成することができる無線受信装置を提供することにある。
【課題を解決するための手段】
【０００９】
本発明は、上記目的を達成するため、マルチバンド直交周波数分割多重方式の無線受信装置であって、受信信号の周波数ホッピングパターンに応じた複数のローカル周波数を発振するローカル発振手段と、前記複数のローカル周波数にそれぞれ対応付けて設けられ、対応付けられているローカル周波数を用いて受信信号の復調を行う複数のベースバンド復調手段と、受信信号の周波数ホッピングのタイミングに応じて、前記ベースバンド復調手段のそれぞれのＩ出力を切り替えて出力するＩ出力切り替え手段と、前記Ｉ出力切り替え手段の切り替えタイミングに同期して、前記ベースバンド復調手段のそれぞれのＱ出力を切り替えて出力するＱ出力切り替え手段と、前記Ｉ出力切り替え手段の出力と前記Ｑ出力切り替え手段の出力とのそれぞれに基づいてデータの復調を行うデータ復調手段とを備えることを特徴とする無線受信装置を提供する。
【００１０】
本発明は、上記目的を達成するため、マルチバンド直交周波数分割多重方式の無線受信装置であって、受信信号の周波数ホッピングパターンに応じた複数のローカル周波数を発振するローカル発振手段と、与えられたローカル周波数を用いて受信信号の復調を行う２つのベースバンド復調手段と、前記ベースバンド復調手段のそれぞれが交互に異なるホッピング周波数の受信信号の復調を行うように、前記複数のローカル周波数の中から前記ベースバンド復調手段のそれぞれに与えるローカル周波数を選択する周波数選択手段と、受信信号の周波数ホッピングのタイミングに応じて、前記ベースバンド復調手段のそれぞれのＩ出力を切り替えて出力するＩ出力切り替え手段と、前記Ｉ出力替え手段の切り替えタイミングに同期して、前記ベースバンド復調手段のそれぞれのＱ出力を切り替えて出力するＱ出力切り替え手段と、前記Ｉ出力切り替え手段の出力と前記Ｑ出力切り替え手段の出力とのそれぞれに基づいてデータの復調を行うデータ復調手段とを備えることを特徴とする無線受信装置を提供する。
【発明の効果】
【００１１】
本発明によれば、高速なアナログスイッチを用いることなく、ＭＢ−ＯＦＤＭの受信回路を構成することができる。
【発明を実施するための最良の形態】
【００１２】
以下、本発明の実施の形態について図面を参照しながら説明する。
【００１３】
（第１の実施の形態）
図１は本発明の第１の実施の形態に係る無線受信装置の基本構成を示すブロック図、図２は図１のデジタル信号処理部の初段の回路構成を示すブロック図である。
【００１４】
本実施の形態の無線受信装置は、図１に示すように、ＭＢ−ＯＦＤＭ方式を用いた無線受信装置からなり、該無線受信装置は、ＲＦ（無線周波）部１と、ＢＢ（ベースバンド）部２と、デジタル信号処理部３とを備える。
【００１５】
ＲＦ部１は、アンテナＡＮＴで受信した信号を受信側へ出力するための送受切り替えスイッチＴ／Ｒ ＳＷと、バンドパスフィルタＢＰＦと、低雑音増幅器ＬＮＡと、３つのローカル周波数ｆ１，ｆ２，ｆ３を発振する発振器Ｓｙｎｔｈとを有する。ここで、ローカル周波数ｆ１，ｆ２，ｆ３は、それぞれ、受信信号の周波数ホッピングパターンに応じた周波数である。また、ローカル周波数ｆ１，ｆ２，ｆ３の数は、基本的なホッピング数に等しく、本実施の形態においては、その数が３とされている。
【００１６】
ＢＢ部２は、対応するローカル周波数ｆ１，ｆ２，ｆ３を用いてＲＦ部１で受信された受信信号を復調するための３つのベースバンド復調器ＤＥＭＯ1〜３を有する。各ベースバンド復調器ＤＥＭＯ1〜３のＩ出力には、それぞれ、ローパスフィルタＬＰＦを介してＡＤ変換器ＡＤＩ１〜３が接続される。各ベースバンド復調器ＤＥＭＯ1〜３のＱ出力には、それぞれ、ローパスフィルタＬＰＦを介してＡＤ変換器ＡＤＱ１〜３が接続される。
【００１７】
デジタル信号処理部３は、ＡＤ変換器ＡＤＩ１〜３の出力を切り替えるセレクタＳＥＬ１と、ＡＤ変換器ＡＤＱ１〜３の出力をＩチャネルと同時に切り替えるセレクタＳＥＬ２とを有する。各セレクタＳＥＬ１，２は、同期回路（図示せず）によって受信信号の周波数ホッピングのタイミングに合わせて、対応するＡＤ変換器ＡＤＩ１〜３，ＡＤＱ１〜３の出力を切り替え、次のシンボルの信号が入力される直前まで、前の周波数の受信信号を入力するＡＤ変換器の出力と接続するように動作する。
【００１８】
デジタル信号処理部３の初段の回路構成においては、具体的には、図２に示すように、各セレクタＳＥＬ１，２の出力には周波数補正用ローテータＲＯＴ１が接続され、周波数補正用ローテータＲＯＴ１は、各セレクタＳＥＬ１，２の出力に対して、受信信号の周波数とローカル発振器Ｓｙｎｔｈの対応するローカル周波数との差による位相回転を補正する。各シフトレジスタＳＦ１，２は、それぞれ、１６５のカラムを有するシフトレジスタからなり、データ区間のデータを１番目から１２８番目までのカラムに保持し、さらにゼロ（パッデド）プリフィックス区間からガードインタバル区間までの遅延波成分を、１２９番目から１６５番目までのカラムに保持する。ここで、１番目から３７番目までの各カラムのデータには、それぞれ、１２９番目から１６５番目の各カラムのデータが加算され、この加算後のデータが信号復調部４に渡されてＦＦＴ（高速フーリエ変換）処理される。
【００１９】
本実施の形態においては、データ区間からガードインタバル区間までの全てのデータをシフトレジスタに格納するために、１６５のカラムを有するシフトレジストが用いられているが、これに代えて、データを格納するシフトレジスタとして、３７カラムのシフトレジスタを用いることもできる。この場合、１番目から３７番目までのデータがシフトレジストに格納され、３８番目のデータおよびそれ以降のデータが順次信号復調部４に出力される。そして、１２９番目から１６５番目までのデータが信号復調部４に出力される際に、１２９番目から１６５番目までのデータは、シフトレジスタに格納された１番目から３７番目までのカラムのデータと加算されながら、信号復調部４に出力されることになる。
【００２０】
このように、本実施の形態によれば、各ＡＤ変換器の出力をセレクタＳＥＬ１，２により切り替えることによって高速なスイッチングが可能になり、高速なアナログスイッチが用いることなくＭＢ−ＯＦＤＭ方式の受信回路を構成することができる。
【００２１】
また、ゼロパッデドプリフィックス区間とガードインタバル区間を加算した時間またはそれ以上の時間のマルチパス遅延波の補償を行うことができる。
【００２２】
（第２の実施の形態）
次に、本発明の第２の実施の形態について図３および図４を参照しながら説明する。図３は本発明の第２の実施の形態に係る無線受信装置の基本構成を示すブロック図、図４は図３のデジタル信号処理部の初段の回路構成を示すブロック図である。ここで、上記第1の実施の形態と同一の機器、ブロックには、同一の符合し、その説明は省略または簡略化する。
【００２３】
本実施の形態の無線受信装置は、図３に示すように、ＲＦ部１と、ＢＢ部２と、デジタル信号処理部３とを備える。ＲＦ部１は、３つのローカル周波数ｆ１，ｆ２，ｆ３を発振する発振器Ｓｙｎｔｈと、３つのローカル周波数ｆ１，ｆ２，ｆ３のうち、２つの周波数を選択して出力するローカルスイッチＬｏ．ＳＷとを有する。ここで、ローカル周波数ｆ１，ｆ２，ｆ３は、それぞれ、受信信号の周波数ホッピングパターンに応じた周波数であり、その数は、基本的なホッピング数に等しく設定されている。
【００２４】
ＢＢ部２は、対応するローカル周波数ｆ１，ｆ２，ｆ３を用いてＲＦ部１で受信された受信信号を復調するための２つのベースバンド復調器ＤＥＭＯ１，２を有する。各ベースバンド復調器ＤＥＭＯ１，２のＩ出力には、それぞれ、ローパスフィルタＬＰＦを介してＡＤ変換器ＡＤＩ１，２が接続される。各ベースバンド復調器ＤＥＭＯ１，２のＱ出力には、それぞれ、ローパスフィルタＬＰＦを介してＡＤ変換器ＡＤＱ１，２が接続される。
【００２５】
デジタル信号処理部３は、ＡＤ変換器ＡＤＩ１，２の出力を切り替えるセレクタＳＥＬ１と、ＡＤ変換器ＡＤＱ１，２の出力をＡＤ変換器ＡＤＩ１，２の出力の切り替えタイミングに合わせて切り替えるセレクタＳＥＬ２とを有する。各セレクタＳＥＬ１，２は、同期回路（図示せず）によって受信信号の周波数ホッピングのタイミングに合わせて、対応するＡＤ変換器ＡＤＩ１，２およびＡＤＱ１，２の出力を切り替え、次のシンボルの信号が入力される直前まで、前の周波数の受信信号を入力するＡＤ変換器の出力と接続するように動作する。
【００２６】
このような構成において、ローカルスイッチＬｏ．ＳＷは、上記同期回路によって受信信号の周波数ホッピングのタイミングに合わせて切り替え動作を行い、この切り替え動作により、現在受信している信号の中心周波数に対応するローカル周波数信号が一方のベースバンド復調器に出力され、次に受信予定の信号の中心周波数に対応するローカル周波数信号が他方のベースバンド復調器に出力される。
【００２７】
このようにローカルスイッチＬｏ．ＳＷを、一方のベースバンド復調器が信号を受信している間に他方のベースバンド復調器のローカル周波数を切り替えるように動作させることによって、１シンボル当たりのデータ区間からガードインタバルの区間までに至る時間、すなわち、データ区間約２４２．４ｎｓ，ゼロ（パッデド）プリフィックス区間約６０．６ｎｓ，ガードインタバル区間約９．５ｎｓを加算した時間約３１２．５ｎｓがローカル周波数切り替え時間に割くことができることになる。この時間は、高周波スイッチの切り替え時間としては十分な時間である。
【００２８】
デジタル信号処理部３の初段の回路構成においては、具体的には、図４に示すように、各セレクタＳＥＬ１，２の出力には周波数補正用ローテータＲＯＴ１が接続され、ローテータＲＯＴ１は、各セレクタＳＥＬ１，２の出力に対して、受信信号の周波数とローカル発振器Ｓｙｎｔｈの対応する周波数との周波数差による位相回転を補正する。各シフトレジスタＳＦ１，２は、それぞれ、１６５のカラムを有するシフトレジスタからなり、データ区間のデータを１番目から１２８番目までのカラムに保持し、さらにゼロ（パッデド）プリフィックス区間からガードインタバル区間までの遅延波成分を、１２９番目から１６５番目までのカラムに保持する。ここで、１番目から３７番目までの各カラムのデータには、それぞれ、１２９番目から１６５番目の各カラムのデータが加算され、この加算後のデータが信号復調部４に渡されてＦＦＴ（高速フーリエ変換）処理される。
【００２９】
また、上記第１の実施の形態と同様に、上記シフトレジスタに代えて、３７カラムのシフトレジスタを用いることもできる。
【００３０】
（第３の実施の形態）
次に、本発明の第３の実施の形態について図５を参照しながら説明する。図５は本発明の第３の実施の形態に係る無線受信装置におけるデジタル信号処理部の初段の回路構成を示すブロック図である。
【００３１】
本実施の形態は、上記第１の実施の形態に対し、異なる構成のデジタル信号処理部３を有する点で異なる。具体的には、デジタル信号処理部３は、図５に示すように、３つの周波数補正用ローテータＲＯＴ１〜３と、３つのシフトレジスタＳＦＩ１〜３と、３つのシフトレジスタＳＦＱ１〜３と、２つのセレクタＳＥＬ３，４とを有する。
【００３２】
各ローテータＲＯＴ１〜３は、対応するＡＤ変換器のＩ出力およびＱ出力を入力し、Ｉ出力およびＱ出力に対して、受信信号の周波数と対応するローカル周波数との周波数差による位相回転を補正する。シフトレジスタＳＦＩ１〜３は受信信号の各ホッピング周波数のＩチャンネルの信号を蓄積する１９２カラムのシフトレジスタからなる。同様に、シフトレジスタＳＦＱ１〜３は受信信号の各ホッピング周波数のＱチャンネルの信号を蓄積する１９２カラムのシフトレジスタからなる。ＳＥＬ３は、各ホッピング周波数のＩチャンネルの信号の先頭がシフトレジスタＳＦＩ１〜３の第１番目のカラムに到達したときに次のホッピング周波数の信号のシフトレジスタに切り替えるように動作し、ＳＥＬ４は各ホッピング周波数のＱチャンネルの信号の先頭がシフトレジスタＳＦＱ１〜３の第１番目のカラムに到達したときに次のホッピング周波数の信号のシフトレジスタに切り替えるように動作する。
【００３３】
シフトレジスタＳＦＩ1〜３，ＳＦＱ1〜３は、各ホッピング周波数の信号を取り込み続ける。ここで、シフトレジスタＳＦＩ1〜３，ＳＦＱ1〜３は、別のホッピングをしている別のピコネットが存在しなければ、受信信号がある周波数から次の周波数へホッピングした後の遅延波も取り込むことが可能である。また、シフトレジスタＳＦＩ１〜３，ＳＦＱ１〜３は、ゼロ（パッデド）プリフィックス区間とガードインタバル区間を合わせた６４カラム（チップ）分、すなわち、約１２１．２ｎｓの遅延波までの補償を行うことができる。
【００３４】
（第４の実施の形態）
次に、本発明の第４の実施の形態について図６を参照しながら説明する。図６は本発明の第４の実施の形態に係る無線受信装置におけるデジタル信号処理部の初段の回路構成を示すブロック図である。
【００３５】
本実施の形態は、上記第２の実施の形態に対し、異なる構成のデジタル信号処理部３を有する点で異なる。具体的には、デジタル信号処理部３は、図６に示すように、２つの周波数補正用ローテータＲＯＴ１，２と、２つのセレクタＳＥＬ１，２と、３つのシフトレジスタＳＦＩ１〜３と、３つのシフトレジスタＳＦＱ１〜３と、２つのセレクタＳＥＬ３，４とを有する。
【００３６】
各ローテータＲＯＴ１，２は、対応するＡＤ変換器のＩ出力およびＱ出力に対して、受信信号の周波数と対応するローカル周波数との周波数差による位相回転を補正する。各セレクタＳＥＬ１，２は、図示されていない同期回路によって受信信号の周波数ホッピングのタイミングに合わせて切り替え動作を行い、ＡＤ変換器の出力に次のシンボルの信号が出力される直前まで、前の周波数を受信しているＡＤ変換器の出力に接続される。
【００３７】
各シフトレジスタＳＦＩ１〜３は、受信信号の各ホッピング周波数のＩチャンネルの信号を蓄積する１９２カラムのシフトレジスタからなる。同様に、シフトレジスタＳＦＱ１〜３は受信信号の各ホッピング周波数のＱチャンネルの信号を蓄積する１９２カラムのシフトレジスタからなる。ＳＥＬ３は、各ホッピング周波数のＩチャンネルの信号の先頭がシフトレジスタＳＦＩ１〜３の第１番目のカラムに到達したときに次のホッピング周波数の信号のシフトレジスタに切り替えるように動作し、ＳＥＬ４は各ホッピング周波数のＱチャンネルの信号の先頭がシフトレジスタＳＦＱ１〜３の第１番目のカラムに到達したときに次のホッピング周波数の信号のシフトレジスタに切り替えるように動作する。
【００３８】
各シフトレジスタＳＦＩ１〜３およびＳＦＱ１〜３は、各ホッピング周波数の信号をガードインタバル区間後２７カラム（チップ）分取り込み続けているので、別のホッピングをしている別のピコネットが存在しなければ、受信信号がある周波数から次の周波数へホッピングした後、ガードインタバル区間を超えてさらに長く、２７カラム（チップ）分の遅延波も取り込むことが可能である。よって、シフトレジスタＳＦＩ１〜３およびＳＦＱ１〜３は、ゼロ（パッデド）プリフィックス区間とガードインタバル区間を合わせた６４カラム（チップ）分、すなわち、約１２１．２ｎｓの遅延波までの影響を補償することできる。この場合、図３のローカルスイッチＬｏ．ＳＷは、約１２１．２ｎｓ以内で切り替え動作（スイッチング）を行う必要があるが、この時間は、ガードインタバル区間約９．５ｎｓに比して十分長い時間であるので、上記時間内に確実にスイッチングを行うことができる。
【図面の簡単な説明】
【００３９】
【図１】本発明の第１の実施の形態に係る無線受信装置の基本構成を示すブロック図である。
【図２】図１のデジタル信号処理部の初段の回路構成を示すブロック図である。
【図３】本発明の第２の実施の形態に係る無線受信装置の基本構成を示すブロック図である。
【図４】図３のデジタル信号処理部の初段の回路構成を示すブロック図である。
【図５】本発明の第３の実施の形態に係る無線受信装置におけるデジタル信号処理部の初段の回路構成を示すブロック図である。
【図６】本発明の第４の実施の形態に係る無線受信装置におけるデジタル信号処理部の初段の回路構成を示すブロック図である。
【図７】マルチパス遅延波の補償方法を示す概念図である。
【符号の説明】
【００４０】
Ｔ／Ｒ ＳＷ  送受切り替えスイッチ
ＢＰＦ  ＲＦ帯バンドパスフィルタ
ＬＮＡ  アンプ
Ｌｏ.ＳＷ  ローカルスイッチ
Ｓｙｎｔｈ  発振器
ＤＥＭＯ１〜３  ベースバンド復調器
ＬＰＦ  ローパスフィルタ
ＡＤＩ１〜３，ＡＤＱ１〜３  ＡＤ変換器
ＳＥＬ１〜４  セレクタ
ＳＦ１〜２，ＳＦＩ１〜３，ＳＦＱ１〜３  シフトレジスタ
【図１】
2006020072.tif 000003
【図２】
2006020072.tif 000004
【図３】
2006020072.tif 000005
【図４】
2006020072.tif 000006
【図５】
2006020072.tif 000007
【図６】
2006020072.tif 000008
【図７】
2006020072.tif 000009